(57)【要約】【課題】オーディオのみを出力するシンク装置の構成を簡易化できる「再生システム」を提供する。【解決手段】ソース装置１において、ビデオトランスコード部１２は、PS多重分離部１１で、記録ディスク２から読み出したPSから分離したV_Packに含まれる動画データをトランスコードし、PS多重化部１５は、トランスコードした動画データを含めたV_PackよりなるPSを生成する。伝送フレーム多重化部１７は、PS多重化部１５が生成したPSを伝送フレーム上の映像データ伝送チャネル割当領域に、記録ディスク２から読み出したPSから分離したオーディオのESを伝送フレーム上の制御データ/オーディオデータ伝送チャネル割当領域に格納し、バスインタフェース１８を介してバス４に送信する。オーディオシンク装置７は、制御データ/オーディオデータ伝送チャネルで受信したオーディオデータをデコードし出力する。【選択図】図１
2007311847.tif 000002
【特許請求の範囲】
【請求項１】
ソース装置と、当該ソース装置に伝送路を介して接続したオーディオシンク装置と映像シンク装置とを有し、
前記ソース装置は、
オーディオストリームと動画ストリームとをパケット多重した統合ストリームを読み出す読出手段と、
前記統合ストリームからオーディオストリームと動画ストリームとを分離するストリーム分離手段と、
前記ストリーム分離手段が分離したオーディオストリームを、前記ソース装置と複数のシンク装置との間の伝送インタフェース上に固定的に設定した複数の時分割チャネルのうちの、オーディオ用に予め設定した時分割チャネルであるオーディオ用チャネルを用いて送信し、前記ストリーム分離手段が分離した動画ストリームまたは当該動画ストリームのデータレートを変換した動画ストリームを、前記複数の時分割チャネルのうちの動画用に予め設定した時分割チャネルである映像用チャネルを用いて送信する伝送手段とを有し、
前記オーディオシンク装置は、前記オーディオ用チャネルを受信し当該オーディオ用チャネルでソース装置より送信されたオーディオストリームを出力し、
前記映像シンク装置は、前記映像用チャネルを受信し、当該映像用チャネルでソース装置より送信された動画ストリームを表示することを特徴とする再生システム。
【請求項２】
ソース装置と、当該ソース装置に伝送路を介して接続したオーディオシンク装置と映像シンク装置とを有し、
前記ソース装置は、
記録ディスクに記録されている、MPEG-2システムのPS(Program Stream)を読み出す読出手段と、
前記読出手段が読み出したPSからオーディオデータのES(Elementarty Stream）を抽出するオーディオデータ抽出手段と、
前記読出手段が読み出したPSに含まれる動画データのESのデータレートを変更し、データレートを変更した動画データのESを含めたPSまたはTS（Trasport Stream)を構成するPS/TS再構成手段と、
前記オーディオデータ抽出手段が抽出したオーディオデータのESを、前記ソース装置と複数のシンク装置との間の伝送インタフェース上に固定的に設定した複数の時分割チャネルのうちの、オーディオ用に予め設定した時分割チャネルであるオーディオ用チャネルを用いて送信し、前記PS/TS再構成手段が再構成したPSまたはTSを、前記複数の時分割チャネルのうちのPSまたはTS用に予め設定した時分割チャネルであるPS/TS用チャネルを用いて送信する伝送手段とを有し、
前記オーディオシンク装置は、前記オーディオ用チャネルを受信し当該オーディオ用チャネルでソース装置より送信されたオーディオデータのESをデコードした音声を出力し、
前記映像シンク装置は、前記PS/TS用チャネルを受信し、当該PS/TS用チャネルでソース装置より送信されたPSまたはTSに含まれる動画データのESをデコードした動画を表示することを特徴とする再生システム。
【請求項３】
ソース装置と、ソース装置に伝送路を介して接続したオーディオシンク装置と映像シンク装置とを有し、
前記ソース装置は、
MPEG-2システムのTS（Trasport Stream)を受信する受信手段と、
前記受信手段が受信したTSからオーディオデータのES(Elementarty Stream）を抽出するオーディオデータ抽出手段と、
前記受信手段が受信したTSに含まれる動画データのESのデータレートを変更し、データレートを変更した動画データのESを含めたPSまたはTSを構成するPS/TS再構成手段と、
前記オーディオデータ抽出手段が抽出したオーディオデータのESを、前記ソース装置と複数のシンク装置との間の伝送インタフェース上に固定的に設定した複数の時分割チャネルのうちの、オーディオ用に予め設定した時分割チャネルであるオーディオ用チャネルを用いて送信し、前記PS/TS再構成手段が再構成したPSまたはTSを、前記複数の時分割チャネルのうちのPSまたはTS用に予め設定した時分割チャネルであるPS/TS用チャネルを用いて送信する伝送手段とを有し、
前記オーディオシンク装置は、前記オーディオ用チャネルを受信し当該オーディオ用チャネルでソース装置より送信されたオーディオデータのESをデコードした音声を出力し、
前記映像シンク装置は、前記PS/TS用チャネルを受信し、当該PS/TS用チャネルでソース装置より送信されたPSまたはTSに含まれる動画データのESをデコードした動画を表示することを特徴とする再生システム。
【請求項４】
請求項２または３記載の再生システムであって、
前記ソース装置は、前記オーディオシンク装置における音声の出力と、前記映像シンク装置における前記動画の表示が同期して行われるように、前記オーディオデータのESの、オーディオデータ抽出手段による抽出から伝送手段による送信までの遅延時間を調整する遅延手段を有することを特徴とする再生システム。
【発明の詳細な説明】
【技術分野】
【０００１】
本発明は、複数の出力装置を用いて、ビデオコンテンツの再生出力を行う再生システムに関するものである。
【背景技術】
【０００２】
複数の出力装置を用いて、ビデオコンテンツの再生出力を行う再生システムとしては、DVD-Videoディスクの読み取りを行うDVDドライブを備えたソース装置と、当該ソース装置とバスやネットワークで接続した複数のシンク装置を備え、ソース装置がDVDドライブを介してDVD-Videoディスクからデータを読み出して各シンク装置に転送し、各シンク装置において転送されたデータが表す動画や音声を出力するシステムが知られている（たとえば、特許文献１）。
【０００３】
また、複数の出力装置を用いて、ビデオコンテンツの再生出力を行う再生システムとしては、MPEG-2システムとして規定されるTS（Trasport Stream)を受信する受信機を備えたソース装置と、当該ソース装置とバスやネットワークで接続した複数のシンク装置を備え、ソース装置から各シンク装置に受信機が受信したTSを転送し、各シンク装置においてそれぞれ転送されたTSをデコードしてTSによって配信されたビデオコンテンツを出力するシステムも知られている（たとえば、特許文献２）。なお、この特許文献２記載のシステムではTSのデータの伝送時に、併せて、ソース装置からシンク装置に、TS中に多重化されている動画データストリームやオーディオデータストリームのデータが伝送されるタイミングを示すストローブ信号を送信することにより、シンク装置において、動画データストリームやオーディオデータストリームのデータを容易に抽出できるようにすることも行われている。
【特許文献１】特表2002-535197号公報
【特許文献２】特開2004-328363号公報
【発明の開示】
【発明が解決しようとする課題】
【０００４】
複数の出力装置を用いて、ビデオコンテンツの再生出力を行う再生システムにおいて、ソース装置からシンク装置へのビデオコンテンツの伝送に、前述したTSや、TS類似の構成を有する、同MPEG-2システムにおいて規定されるPS(Program Stream)を用いる場合には、以下のような問題が生じる。
【０００５】
すなわち、このような再生システムを、オーディオのみを出力するシンク装置や、映像のみを出力するシンク装置を含めて構成する場合に、オーディオのみを出力するシンク装置においては、オーディオデータのデコードと出力との単純な処理のみを行えれば充分であるにもかかわらず、TSやPSのデコードのために、より高度で煩雑な処理を行うMPEGデコーダが必要になってしまうという問題が生じる。
【０００６】
なお、前記特許文献２におけるストローブ信号を用いてTS中のESの伝送タイミングをソース装置からシンク装置に通知する技術は、そのようなストローブ信号を伝送インタフェース上に備えないシステムにおいては適用することができない。
そこで、本発明は、ソース装置からシンク装置にビデオコンテンツを配信して、シンク装置においてビデオコンテンツを出力する再生システムを、オーディオのみを出力するシンク装置を含めて構成する場合に、当該オーディオのみを出力するシンク装置の構成を簡易化することを課題とする。
【課題を解決するための手段】
【０００７】
前記課題達成のために、本発明は、ソース装置と、ソース装置に伝送路を介して接続したオーディオシンク装置と映像シンク装置とを備えた再生システムを提供する。ここで、前記ソース装置は、オーディオストリームと動画ストリームとをパケット多重した統合ストリームを読み出す読出手段と、前記統合ストリームからオーディオストリームと動画ストリームとを分離するストリーム分離手段と、前記ストリーム分離手段が分離したオーディオストリームを、前記ソース装置と複数のシンク装置との間の伝送インタフェース上に固定的に設定した複数の時分割チャネルのうちの、オーディオ用に予め設定した時分割チャネルであるオーディオ用チャネルを用いて伝送し、前記ストリーム分離手段が分離した動画ストリームまたは当該動画ストリームのデータレートを変換した動画ストリームを、前記複数の時分割チャネルのうちの動画用に予め設定した時分割チャネルである映像用チャネルを用いて伝送する伝送手段とを備えた装置であり、前記オーディオシンク装置は、前記オーディオ用チャネルを受信し当該オーディオ用チャネルでソース装置より送信されたオーディオストリームを出力する装置であり、前記映像シンク装置は、前記映像用チャネルを受信し、当該映像用チャネルでソース装置より送信された動画ストリームを表示する装置である。
【０００８】
このように、本再生システムでは、ソース装置において、オーディオストリームと動画ストリームとをパケット多重した統合ストリームからオーディオストリームを抽出し、伝送インタフェース上に固定的に設定した複数の時分割チャネルのうちのオーディオ用に予め設定した時分割チャネルであるオーディオ用チャネルを用いて、抽出したオーディオストリームを単独で配信する。したがって、本再生システムにおいて、オーディオシンク装置は、このオーディオ用チャネルを受信するだけで、デコードして出力すべきオーディオデータを取得することができる。よって、このような再生システムによれば、オーディオシンク装置に統合ストリームをデコードするデコーダを備える必要がなく、その構成が簡易化される。
【０００９】
さて、以上の再生システムは、より具体的には、前記ソース装置を、記録ディスクに記録されている、MPEG-2システムのPS(Program Stream)を読み出す読出手段と、前記読出手段が読み出したPSに含まれる動画データのESのデータレートを変更し、データレートを変更した動画データのESを含めたPSまたはTS（Trasport Stream)を構成するPS/TS再構成手段と、前記オーディオデータ抽出手段が抽出したオーディオデータのESを、前記ソース装置と複数のシンク装置との間の伝送インタフェース上に固定的に設定した複数の時分割チャネルのうちの、オーディオ用に予め設定した時分割チャネルであるオーディオ用チャネルを用いて送信し、前記PS/TS再構成手段が再構成したPSまたはTSを、前記複数の時分割チャネルのうちのPSまたはTS用に予め設定した時分割チャネルであるPS/TS用チャネルを用いて送信する伝送手段とより構成し、前記オーディオシンク装置において、前記オーディオ用チャネルを受信し当該オーディオ用チャネルでソース装置より送信されたオーディオデータのESをデコードした音声を出力し、前記映像シンク装置において、前記PS/TS用チャネルを受信し、当該PS/TS用チャネルでソース装置より送信されたPSまたはTSに含まれる動画データのESをデコードした動画を表示するようにしてもよい。
【００１０】
このような再生システムによれば、記録ディスクに記録されたPSを対象として、当該PSに含まれる動画やオーディオを映像シンク装置とオーディオシンク装置で出力する再生システムを、PSやTSをデコードするMPEGデコーダを備えない簡易な構成のオーディオシンク装置を用いて実現することができる。
【００１１】
または、以上の再生装置は、前記ソース装置を、MPEG-2システムのTS（Trasport Stream)を受信する受信手段と、前記受信手段が受信したTSからオーディオデータのES(Elementarty Stream）を抽出するオーディオデータ抽出手段と、前記受信手段が受信したTSに含まれる動画データのESのデータレートを変更し、データレートを変更した動画データのESを含めたPSまたはTSを構成するPS/TS再構成手段と、前記オーディオデータ抽出手段が抽出したオーディオデータのESを、前記ソース装置と複数のシンク装置との間の伝送インタフェース上に固定的に設定した複数の時分割チャネルのうちの、オーディオ用に予め設定した時分割チャネルであるオーディオ用チャネルを用いて送信し、前記PS/TS再構成手段が再構成したPSまたはTSを、前記複数の時分割チャネルのうちのPSまたはTS用に予め設定した時分割チャネルであるPS/TS用チャネルを用いて送信する伝送手段とより構成すると共に、前記オーディオシンク装置において、前記オーディオ用チャネルを受信し当該オーディオ用チャネルでソース装置より送信されたオーディオデータのESをデコードした音声を出力し、前記映像シンク装置において、前記PS/TS用チャネルを受信し、当該PS/TS用チャネルでソース装置より送信されたPSまたはTSに含まれる動画データのESをデコードした動画を表示するようにしてもよい。
【００１２】
このような再生システムによれば、受信機で受信したTSを対象として、当該TSに含まれる動画やオーディオを映像シンク装置とオーディオシンク装置で出力する再生システムを、TSやPSをデコードするMPEGデコーダを備えない簡易な構成の簡易な構成のオーディオシンク装置を用いて実現することができる。
【００１３】
なお、これらのPSやTSを取り扱う再生システムは、前記ソース装置に、前記オーディオシンク装置における音声の出力と、前記映像シンク装置における前記動画の表示が同期して行われるように、前記オーディオデータのESの、オーディオデータ抽出手段による抽出から伝送手段による送信までの遅延時間を調整する遅延手段を備えるようにしてもよい。
【００１４】
このようにすることにより、映像シンク装置やオーディオシンク装置に特段の構成を備えることなく、再生システムにおいて動画とオーディオを同期して出力することができるようになる。
【発明の効果】
【００１５】
以上のように、本発明によれば、ソース装置からシンク装置にビデオコンテンツを配信して、シンク装置においてビデオコンテンツを出力する再生システムを、オーディオのみを出力するシンク装置を含めて構成する場合に、当該オーディオのみを出力するシンク装置の構成を簡易化することができる。
【発明を実施するための最良の形態】
【００１６】
以下、本発明の実施形態に係る再生システムについて説明する。
図１に、本実施形態に係る再生システムの構成を示す。
図示するように、再生システムは、ソース装置１、装着された記録ディスク２のアクセスを行う、ソース装置１の外部記憶装置として設けられたドライブ装置３、バス４、ビデオシンク装置５、表示装置６、オーディオシンク装置７、スピーカ８とを有している。
なお、バス４には、再生システム以外の他のシステムを構成する装置も接続されていてもよい。
さて、このような構成において、記録ディスク２は、DVD-VideoディスクやDVD-Audioディスクや、その他のCDやハードディスクなどのディスクであって、MPEG-2システムのPS(Program Stream）によって、映像と音声を含むビデオコンテンツを記録しているものである。
【００１７】
そして、ソース装置１は、PS多重分離部１１（PS-Demux１１)、ビデオトランスコード部１２、遅延処理部１３、制御部１４、PS多重化部１５（PS-Mux１５)、セレクタ１６、伝送フレーム多重化部１７、バスインタフェース１８とを有している。
また、ビデオシンク装置５は、バスインタフェース５１、伝送フレーム分離部５２、ＭＰＥＧデコーダ５３、ビデオシンク制御部５４、表示制御部５５とを有している。
そして、オーディオシンク装置７は、バスインタフェース７１、伝送フレーム分離部７２、オーディオデコーダ７３、オーディオシンク制御部７４、アンプ部７５とを有している。
以下、このような再生装置の動作について説明する。
まず、ソース装置１の動作について説明する。
制御部１４は、ドライブ装置３を制御して、記録ディスク２から再生対象となっているビデオコンテンツのPSを読み出す。PS多重分離部１１は、記録ディスク２から読み出されたPSに図２ａに示すように多重化されているV_Packに含まれるPES（Packetized Elementarty Stream）中の動画のES (Elementarty Stream）を分離し、分離した動画のESをビデオトランスコード部１２に出力する。また、PS多重分離部１１は、記録ディスク２から読み出されたPSに図２ａに示すように多重化されているA_Packに含まれるPES中のオーディオのESを分離し、分離したオーディオのESを遅延処理部１３に出力する。
【００１８】
ビデオトランスコード部１２は、入力した動画のESの復号化と所望データレートのESへの再符号化を行い、再符号化した動画のESを格納したPESを、PS多重化部１５に出力する。そして、PS多重化部１５は、入力する動画のPESを格納したV_Packの列よりなるPSを図２ｂに示すように生成し、伝送フレーム多重化部１７に出力する。
【００１９】
一方、遅延処理部１３は、入力したオーディオのESを構成するオーディオデータを、制御部１４から指定された遅延時間分遅延させた上で、適当なフォーマットのオーディオデータ（たとえば、S/PDIFのブロック、フレーム、サブフレームからなるフォーマット）に変換し、図２ｃに示すようにセレクタ１６に出力する。
【００２０】
また、制御部１４は、各シンク装置に送信する制御データを、図２ｄに示すようにセレクタ１６に出力する。また、セレクタ１６は、制御部１４の制御に従って、制御部１４が出力する制御データと遅延処理部１３が出力するオーディオデータとのうちの一方を選択し、伝送フレーム多重化部１７に出力する。
【００２１】
そして、伝送フレーム多重化部１７は、バスインタフェース１８を介してバス４に送信する伝送フレームを生成する処理を行う。この伝送フレームの生成は、図２ｅ１に示すように、伝送フレーム上に論理チャネルとして形成される制御データ/オーディオデータ伝送チャネルに、セレクタ１６の出力する制御データとオーディオデータを格納し、図２ｅ２に示すように伝送フレーム上に論理チャネルとして形成される映像データ伝送チャネルに、PS多重化部１５の出力する、V_Packの列よりなるPSを格納することにより行う。
【００２２】
そして、バスインタフェース１８は、伝送フレーム多重化部１７が生成した伝送フレームをバス４に送信する。
ここで、図３ａに、伝送フレーム上の、制御データ/オーディオデータ伝送チャネルと、映像データ伝送チャネルの配置例を示す。
図は、伝送フレームのフレームレートを４４.１KHz、フレーム長を６４バイト長とした場合の例を示したものであり、この例では、各伝送フレームの第１バイトから第６バイトの６バイトを制御データ/オーディオデータ伝送チャネルとして用い、各伝送フレームの第７バイトから第３２バイトの２６バイトを映像データ伝送チャネルとして用いている。
【００２３】
ここで、ソース装置１のビデオトランスコード部１２は、このような映像データ伝送チャネルを用いて動画のESのPESを格納したV-Packの列であるPSを伝送できるように、動画のESを、映像データ伝送チャネルの伝送容量（約9Mbps）以下のESトランスコードするものである。
ところで、伝送フレーム多重化部１７は、伝送するオーディオデータのデータレートが、各伝送フレームの制御データ/オーディオデータ伝送チャネルの６バイトを全てを使用せずとも、オーディオデータを伝送できる場合には、各伝送フレームの制御データ/オーディオデータ伝送チャネルのうちの一部のバイトのみを用いてオーディオデータを伝送するようにする。
【００２４】
すなわち、伝送するオーディオデータが、たとえば、非圧縮形式であるためにデータ量が大きいLPCMのオーディオデータであって、その伝送に、各伝送フレームの制御データ/オーディオデータ伝送チャネルの第１バイトから第６バイトの６バイト全てが必要な場合には、図３ｂ１に示すように当該６バイト全てを用いてオーディオデータの伝送を行うが、伝送するオーディオデータが、たとえば、４４８KbpsのDolbyのオーディオデータであれば、各伝送フレームあたり２バイト（伝送容量７０５.６Kbps）を用いれば、その伝送を行うことができるので、図３ｂ２に示すように各伝送フレームの制御データ/オーディオデータ伝送チャネルの第１バイトと第２バイトの２バイトのみを用いて、オーディオデータの伝送を行う。なお、各伝送フレームの制御データ/オーディオデータ伝送チャネルの第１バイトと第２バイトの２バイトのみを用いて、オーディオデータの伝送を行うことは、制御データ/オーディオデータ伝送チャネルを、各伝送フレームの第１バイトと第２バイトのみを用いた伝送チャネルに変化させることと等価である。
【００２５】
さて、以上のような、実際にオーディオデータの伝送に用いる、伝送フレームのバイトの切替は、制御部１４が行う。また、制御部１４は、このようなオーディオデータの伝送を開始する際に、オーディオデータの伝送に用いる伝送フレームのバイトの情報を制御情報として制御データ/オーディオデータ伝送チャネルを用いて送信する。
【００２６】
さて、図１に戻り、ビデオシンク装置５において、伝送フレーム分離部５２は、バスインタフェース５１でソース装置１から受信した各伝送フレーム上の映像データ伝送チャネルで配信されるPSを抽出し、ＭＰＥＧデコーダ５３に出力する。ＭＰＥＧデコーダ５３は、ビデオシンク制御部５４の制御下で、伝送フレーム分離部５２から受け取ったPSのV-PackのPESの動画のESをデコードし、映像を表示制御部５５を介して表示装置６に表示する。
【００２７】
一方、オーディオシンク装置７において、伝送フレーム分離部７２は、バスインタフェース７１でソース装置１から受信した各伝送フレーム上の制御データ/オーディオデータ伝送チャネルで配信される制御データとオーディオデータを抽出し、制御データをオーディオシンク制御部７４に送り、オーディオデータをオーディオデコーダ７３に送る。ここで、オーディオシンク制御部７４は、伝送フレーム分離部７２から受け取った制御データから、実際にオーディオデータの伝送に用いられている伝送フレームのバイトを識別し、各伝送フレーム中の、当該識別したバイトをオーディオデコーダ７３に出力するよう伝送フレーム分離部７２を制御する。そして、伝送フレーム分離部７２は、当該制御に従って、前述した各伝送フレーム上の制御データ/オーディオデータ伝送チャネルで配信されるオーディオデータの抽出とオーディオデコーダ７３への出力を行う。
【００２８】
そして、オーディオデコーダ７３は、受け取ったオーディオデータをデコードし、アンプ部７５を介してスピーカ８に出力する。
そして、ソース装置１における遅延処理部１３は、以上のようなビデオシンク装置５における映像出力と、オーディオシンク装置７におけるオーディオ出力の相対的な時間関係が正規の関係となるように（動画とオーディオの出力が同期するように）、以上のPS多重分離部１１の出力から表示装置６の表示までの動画に関する各処理に要する時間と、以上のPS多重分離部１１の出力からスピーカ８からの出力までのオーディオに関する各処理に要する時間の差分、オーディオデータを遅延させるものである。なお、この遅延時間は、再生するビデオコンテンツの動画データやオーディオデータのデータレート等の特性などに応じて制御部１４が算出し制御する。
【００２９】
以上、本発明の実施形態について説明した。
ところで、以上の実施形態では、伝送フレーム上の映像データ伝送チャネルでV_Packの列よりなるPSを伝送するようにしたが、映像データ伝送チャネルでは、V_PackとA_Packを多重化したPSを伝送するようにしてもよい。すなわち、この場合には、ソース装置１のPS多重分離部１１は、記録ディスク２から読み出されたPSに多重化されているA_Packを、PS多重化部１５に出力する。そして、PS多重化部１５は、ビデオトランスコード部１２から入力する動画のPESを格納したV_Packと、PS多重分離部１１から入力するA_Packを多重化したPSを生成し、伝送フレーム多重化部１７に出力するようにする。また、この場合には、再生システムに、オーディオと動画の双方をデコードし出力する、表示装置６とスピーカ８を備えたシンク装置を設け、当該シンク装置において、映像データ伝送チャネルで受信したPSから動画をデコードして表示装置６に表示すると共に、映像データ伝送チャネルで受信したPSからオーディオをデコードしスピーカ８に出力するようにしてもよい。
【００３０】
また、以上の実施形態では、記録ディスク２から読み出したPSを対象として、ソース装置１において、当該PSに含まれる動画やオーディオのビデオシンク装置５やオーディオシンク装置７への配信を行う場合について説明したが、本実施形態は、TS（Trasport Stream)を受信する受信機を備えたソース装置１において、受信機で受信したTSを対象として、当該TSに含まれる動画やオーディオをビデオシンク装置５やオーディオシンク装置７への配信を行う場合にも同様に適用することができる。また、以上の実施形態では、ソース装置１からの動画の配信にPSを用いたが、これはPSの代わりにTSを用いて行うようにしても良い。すなわち、この場合には、PS多重化部１５において、PSに代えて、入力する動画のPESを格納したTSを構成して伝送フレーム多重化部１７に出力するようにする。
【００３１】
以上のように本実施形態によれば、ソース装置１において、PSやTSといったオーディオのESと動画のESとがパケット多重された統合的なストリームから、オーディオのESを抽出し、伝送インタフェース上に設定した制御データ/オーディオデータ伝送チャネルを用いて、抽出したオーディオのESを単独で配信する。したがって、オーディオシンク装置７は、この制御データ/オーディオデータ伝送チャネルを受信することによって、デコードして出力すべきオーディオデータを取得することができる。よって、本実施形態によれば、オーディオシンク装置７にPSやTSをデコードするMPEGデコーダを備える必要がなく、その構成を簡易化することができる。
【図面の簡単な説明】
【００３２】
【図１】本発明の実施形態に係る再生システムの構成を示すブロック図である。
【図２】本発明の実施形態に係る再生システムのソース装置の動作を示す図である。
【図３】本発明の実施形態に係る伝送フレーム上の論理チャネルの配置例を示す図である。
【符号の説明】
【００３３】
１…ソース装置、２…記録ディスク、３…ドライブ装置、４…バス、５…ビデオシンク装置、６…表示装置、７…オーディオシンク装置、８…スピーカ、１１…PS多重分離部、１２…ビデオトランスコード部、１３…遅延処理部、１４…制御部、１５…PS多重化部、１６…セレクタ、１７…伝送フレーム多重化部、１８…バスインタフェース、５１…バスインタフェース、５２…伝送フレーム分離部、５３…ＭＰＥＧデコーダ、５４…ビデオシンク制御部、５５…表示制御部、７１…バスインタフェース、７２…伝送フレーム分離部、７３…オーディオデコーダ、７４…オーディオシンク制御部、７５…アンプ部。
【図１】
2007311847.tif 000003
【図２】
2007311847.tif 000004
【図３】
2007311847.tif 000005